(57)【要約】【課題】自動車、機械等から一旦取り外した固着具を元の使用位置が明確に分かるようにした状態で保持する固着具の整理具を提供する。【解決手段】板状体（１）には固着具（３）を挿脱自在に保持する多数の保持手段（５）を備えさせると共に各保持手段（５）に保持させた固着具（３）の元の使用位置を表示する使用位置表示手段（７）を備えさせる。板状体（３１）には固着具（３）を挿脱自在に保持する多数の保持手段（３３）を備えさ、該板状体の表面にはシート（３５）を取り付け、該シートには各保持手段に対応する位置に該保持手段の位置を表示する保持手段表示手段（３７）を備えさせると共に各保持手段に保持させた固着具の元の使用位置を表示する使用位置表示手段（３９）を備えさせ、固着具を該シートの上方より該シートを貫通させて板状体の保持手段に保持させる。【選択図】図１
2005207448.tif 000002
【特許請求の範囲】
【請求項１】
板状体には固着具を挿脱自在に保持する多数の保持手段を備えさせると共に各保持手段に保持させた固着具の元の使用位置を表示する使用位置表示手段を備えさせたことを特徴とする固着具の整理具。
【請求項２】
板状体には固着具を挿脱自在に保持する多数の保持手段を備えさ、該板状体の表面にはシートを取り付け、該シートには各保持手段に対応する位置に該保持手段の位置を表示する保持手段表示手段を備えさせると共に各保持手段に保持させた固着具の元の使用位置を表示する使用位置表示手段を備えさせ、固着具を該シートの上方より該シートを貫通させて板状体の保持手段に保持させるようにしたことを特徴とする固着具の整理具。
【請求項３】
前記使用位置表示手段は図形であることを特徴とする請求項１又は２に記載の固着具の整理具。
【発明の詳細な説明】
【技術分野】
【０００１】
本発明は、固着具の整理具に関するものであり、特に、自動車、機械等の分解、修理等を行なう際に、当該自動車、機械等から一旦取り外した固着具を元の使用位置が明確に分かるようにした状態で保持する固着具の整理具に係るものである。
【０００２】
本願の明細書、特許請求の範囲及び要約書において「固着具」とは、自動車、機械等の分解、修理等を行なう際に当該自動車、機械等から一旦取り外した後、再び当該自動車、機械等における元の位置に取り付けるようにしたボルト、ねじ、ピン等の固着手段をいうものとする。
【背景技術】
【０００３】
自動車、機械等の分解、修理等を行なう際には、固着具を当該自動車、機械等から一旦取り外し、所定の作業を行なった後、該固着具を再び当該自動車、機械等における元の位置に取り付ける必要がある。
【０００４】
しかるに、自動車、機械等から一旦取り外した固着具を元の使用位置が明確に分かるようにした状態で保持する固着具の整理具は従来存在しない。
【０００５】
なお、実開平６−８００１９号公報は、シートに多数の切れ目付き挿入孔を備えさせ、該挿入孔にネジを保持させるようにしたネジの整理用シートを開示している。
【特許文献１】実開平６−８００１９号公報
【発明の開示】
【発明が解決しようとする課題】
【０００６】
しかるに、上記実開平６−８００１９号公報に示すネジの整理用シートは、単にネジをシートの挿入孔に保持させるに留まるものであり、該整理用シートはネジの使用位置を示す手段を備えていない。従って、自動車、機械等の分解、修理等を行なう際に、ネジを当該自動車、機械等から一旦取り外して該整理用シートに保持させたとしても、所定の作業を行なった後、該ネジを再び当該自動車、機械等における元の位置に取り付けようとするときに、該ネジが当該自動車、機械等におけるどの位置に取り付けられていたのかが分からなくなるという問題は依然として残る。
【０００７】
本発明は、上記の問題を解決し、自動車、機械等から一旦取り外した固着具を元の使用位置が明確に分かるようにした状態で保持する固着具の整理具を提供しようとしてなされたものである。
【課題を解決するための手段】
【０００８】
上記課題を解決するために、本発明は下記のごとき固着具の整理具を提供するものである。
【０００９】
（１）板状体には固着具を挿脱自在に保持する多数の保持手段を備えさせると共に各保持手段に保持させた固着具の元の使用位置を表示する使用位置表示手段を備えさせたことを特徴とする固着具の整理具（請求項１）。
【００１０】
（２）板状体には固着具を挿脱自在に保持する多数の保持手段を備えさ、該板状体の表面にはシートを取り付け、該シートには各保持手段に対応する位置に該保持手段の位置を表示する保持手段表示手段を備えさせると共に各保持手段に保持させた固着具の元の使用位置を表示する使用位置表示手段を備えさせ、固着具を該シートの上方より該シートを貫通させて板状体の保持手段に保持させるようにしたことを特徴とする固着具の整理具（請求項２）。
【００１１】
（３）前記使用位置表示手段は図形である（請求項３）。
【００１２】
本願の明細書、特許請求の範囲及び要約書における「図形」には写真も含まれるものとする。
【００１３】
［発明の作用］
［請求項１の発明］
自動車、機械等の分解、修理等を行なう際に、当該自動車、機械等から一旦取り外した各固着具は、該固着具の元の使用位置を表示する使用位置表示手段に従って、板状体における各保持手段に挿入して保持させる。換言すれば、整理具の使用者は、各保持手段に保持させている固着具が当該自動車、機械等におけるどの位置に取り付けられていたのかを該使用位置表示手段によりいつでも容易に認識することができる。従って、整理具の使用者は、該固着具を再び当該自動車、機械等における元の位置に誤りなく取り付けることができる。
【００１４】
［請求項２の発明］
板状体の保持手段の位置は、シートの保持手段表示手段により表示されている。自動車、機械等から一旦取り外した各固着具は、該固着具の元の使用位置を表示するシートの使用位置表示手段に従って、シートの保持手段表示手段に表示されている位置にてシートの上方より該シートを貫通させて板状体の保持手段に挿入保持させる。換言すれば、整理具の使用者は、各保持手段に保持させている固着具が当該自動車、機械等におけるどの位置に取り付けられていたのかを該使用位置表示手段によりいつでも容易に認識することができる。従って、整理具の使用者は、該固着具を再び当該自動車、機械等における元の位置に誤りなく取り付けることができる。
【００１５】
［請求項３の発明］
使用位置表示手段は図形であるため、整理具の使用者は、各保持手段に保持させている固着具が当該自動車、機械等におけるどの位置に取り付けられていたのかを極めて容易に認識することができる。
【発明の効果】
【００１６】
整理具の使用者は、各保持手段に保持させている固着具が当該自動車、機械等におけるどの位置に取り付けられていたのかを使用位置表示手段によりいつでも容易に認識することができる。従って、整理具の使用者は、該固着具を再び当該自動車、機械等における元の位置に誤りなく取り付けることができる。
【発明を実施するための最良の形態】
【００１７】
図１〜図３に示す事例について説明する。
【００１８】
符号１に示すものは板状体である。板状体１は、例えば、段ボール、厚紙等の紙、或いは合成樹脂等により形成する。
【００１９】
板状体１には固着具３を挿脱自在に保持する多数の保持手段５、５・・・を備えさせる。保持手段５は、固着具３を挿脱自在に保持し得るものであればいかなるものであってもよい。図１〜図３に示す事例においては、保持手段５として、板状体１に刻み（刻み目）を形成しているが、保持手段１は例えば透孔であっても差し支えない。
【００２０】
更に、板状体１には各保持手段５に保持させた固着具３の元の使用位置を表示する使用位置表示手段７を備えさせる。
【００２１】
使用位置表示手段７は図形であってもよいが、文字であっても差し支えない。
【００２２】
図１に示す事例における使用位置表示手段７は、自動車を概略的に示す図形である。即ち、同図において、符号９に示すものは前バンパー、符号１１はヘッドライト、符号１３はボンネット、符号１５は前側板、符号１７は室内、符号１９はドア、符号２１はトランク、符号２３は後側板、符号２５はテールライト、符号２７は後バンパーである。この事例においては、例えば右又は左のドア１９上の所定の位置にある保持手段５に保持されている固着具３は、実際の自動車における右又は左のドア１９の対応位置に取り付けられていたものである。
【００２３】
図２に示す事例における使用位置表示手段７は文字、記号等である。即ち、当該保持手段５に保持されている固着具３が実際の自動車におけるどの位置に取り付けられていたものであるかを文字、記号等により表示してもよい。
【００２４】
次に、図４、図５に示す事例について説明する。
【００２５】
符号３１に示すものは板状体である。板状体３１は、例えば、合成樹脂等により形成する。
【００２６】
板状体３１には固着具３を挿脱自在に保持する多数の保持手段３３、３３・・・を備えさせる。保持手段３３は、固着具３を挿脱自在に保持し得るものであればいかなるものであってもよい。保持手段３３は、例えば透孔とするが、刻み（刻み目）であっても差し支えない。
【００２７】
板状体３１の表面にはシート３５を取り付ける。シート３５は、例えば紙、合成樹脂により形成する。
【００２８】
シート３５には各保持手段３３に対応する位置に該保持手段３３の位置を表示する保持手段表示手段３７を備えさせる。図５に示す保持手段表示手段３７は「＋」記号であるが、保持手段表示手段３７は、保持手段３３の位置を表示し得るものであればいかなるものであってもよい。
【００２９】
更に、シート３５には各保持手段３５に保持させた固着具３の元の使用位置を表示する使用位置表示手段３９を備えさせる。使用位置表示手段３９は前記図１〜図３に示す使用位置表示手段７と同様のものである。
【００３０】
以上により、固着具３をシート３５の上方より該シート３５を貫通させて板状体３１の保持手段３３に保持させるようになす。
【図面の簡単な説明】
【００３１】
【図１】本発明による固着具の整理具の一例を示す平面図である。
【図２】同上整理具の別の一例を示す斜視図である。
【図３】同上整理具の更に別の一例を示す断面図である。
【図４】同上整理具の更に別の一例を示す断面図である。
【図５】図４の整理具を示す平面図である。
【符号の説明】
【００３２】
１  板状体
３  固着具
５  保持手段
７  使用位置表示手段
９  前バンパー
１１  ヘッドライト
１３  ボンネット
１５  前側板
１７  室内
１９  ドア
２１  トランク
２３  後側板
２５  テールライト
２７  後バンパー
３１  板状体
３３  保持手段
３５  シート
３７  保持手段表示手段
３９  使用位置表示手段
【図１】
2005207448.tif 000003
【図２】
2005207448.tif 000004
【図３】
2005207448.tif 000005
【図４】
2005207448.tif 000006
【図５】
2005207448.tif 000007